(57)【要約】【課題】  作業性の向上を図ることが可能な屋内配線用ユニットケーブルの結線構造、屋内配線用ユニットケーブル、及び屋内配線用ユニットケーブルの結線装置を提供する。【解決手段】  ＶＶＦケーブルを構成する複数の絶縁線心１５の露出長さを、取り付け相手のジョイントボックス１３の奥側となるものが一番長く且つ手前になるにつれて短くなるような段付きの露出長さに形成し、このようなＶＶＦケーブルを複数備えて横一列に並べるとともに、露出させた絶縁線心１５の各段毎に複数の圧接刃を有する長いバスバー２０及び短いバスバー２１を圧接接続して結線部２６を形成する。屋内配線用ユニットケーブル１１は、ケーブル群１２の端末の結線部２６をジョイントボックス１３内に収容するとともに、熱硬化性樹脂で固定することによりなる。【選択図】    図２
2006032310.tif 000002
【特許請求の範囲】
【請求項１】
ＶＶＦケーブルの複数の絶縁線心の露出長さを、ジョイントボックスの奥側となるものが一番長く且つ手前になるにつれて短くなるような段付きの露出長さに形成し、このような前記ＶＶＦケーブルを複数備えて横一列に並べるとともに、露出させた前記絶縁線心の各段毎に複数の圧接刃を有する一又は複数のバスバーを圧接接続して結線部を形成する
ことを特徴とする屋内配線用ユニットケーブルの結線構造。
【請求項２】
請求項１に記載の屋内配線用ユニットケーブルの結線構造において、
前記結線部を形成するにあたり、前記絶縁線心を差し込むための複数の貫通孔、該貫通孔を介して差し込まれる前記絶縁線心の収容空間、及び、前記バスバーを差し込むための複数の開口部を有する絶縁ケースを用いる
ことを特徴とする屋内配線用ユニットケーブルの結線構造。
【請求項３】
請求項２に記載の屋内配線用ユニットケーブルの結線構造において、
前記バスバーを前記開口部に差し込む際に用いる位置決め手段を前記バスバーと前記開口部とに設ける
ことを特徴とする屋内配線用ユニットケーブルの結線構造。
【請求項４】
請求項１に記載の屋内配線用ユニットケーブルの結線構造に係る結線部をジョイントボックス内に収容するとともに、熱硬化性樹脂で固定することによりなる
ことを特徴とする屋内配線用ユニットケーブル。
【請求項５】
請求項２又は請求項３に記載の屋内配線用ユニットケーブルの結線構造を有するケーブル群にケーブルホルダーを取り付け、該ケーブルホルダーを取り付けた前記ケーブル群の端末の結線部をジョイントボックス内に収容するとともに、前記ケーブルホルダーを前記ジョイントボックスの係止部に係止させることによりなる
ことを特徴とする屋内配線用ユニットケーブル。
【請求項６】
ＶＶＦケーブルの複数の絶縁線心の露出長さを、ジョイントボックスの奥側となるものが一番長く且つ手前になるにつれて短くなるような段付きの露出長さに形成し、このような前記ＶＶＦケーブルを複数備えて横一列に並べるケーブル収容部と、
露出させた前記絶縁線心の各段毎に複数の圧接刃を有する一又は複数のバスバーをセットするバスバーセット構造部と、
前記バスバーを押圧することにより前記絶縁線心との圧接接続を一括して行い結線部を形成するバスバー押圧構造部と、
を備える
ことを特徴とする屋内配線用ユニットケーブルの結線装置。
【請求項７】
請求項６に記載の屋内配線用ユニットケーブルの結線装置において、
前記ケーブル収容部は、前記ＶＶＦケーブル毎に前記絶縁線心を所望の間隔で整列させる線心整列ガイドを有する
ことを特徴とする屋内配線用ユニットケーブルの結線装置。
【請求項８】
請求項６又は請求項７に記載の屋内配線用ユニットケーブルの結線装置において、
前記バスバーセット構造部は、前記ケーブル収容部を横切るようにスライドする構造であるとともに、前記各段毎の前記バスバーに対する保持部と受け部とを有する
ことを特徴とする屋内配線用ユニットケーブルの結線装置。
【請求項９】
請求項８に記載の屋内配線用ユニットケーブルの結線装置において、
前記バスバーセット構造部は、前記絶縁線心の前記各段毎の間隔を所望の間隔に拡大する線心間隔拡大ガイドを更に有する
ことを特徴とする屋内配線用ユニットケーブルの結線装置。
【発明の詳細な説明】
【技術分野】
【０００１】
本発明は、屋内配線用のユニットケーブルと、その結線構造と、結線装置とに関する。
【背景技術】
【０００２】
近年、玄関や居間や寝室などの各部屋別にユニット化した部屋ユニットを住宅メーカーの工場で製造し、それらを施工現場で施主の希望や敷地形状に応じて組み付けることにより、一つの家屋が出来上がるようなプレハブ住宅工法が知られている。プレハブ住宅工法においては、各部屋ユニット別の配線も予め工場内で行われるようになっており、その配線によって屋内配線作業の簡素化を達成することができるようになっている。屋内配線作業の簡素化を達成するためには、ジョイントボックスを備えた屋内配線用ユニットケーブルが用いられている。
【０００３】
従来の屋内配線用ユニットケーブルとしては、その内部に絶縁性の熱硬化性樹脂（エポキシ樹脂等）を充填・モールドして、分岐接続した結線部を固定及び保護するような構造のものになっている（例えば特許文献１参照）。尚、上記屋内配線用ユニットケーブルは、用途に応じて二芯ケーブル、三芯ケーブル等のものが使用されている。結線部は、圧着スリーブを用いて結線がなされている。
【特許文献１】登録実用新案第３００５９１２号公報  （第２頁、第１図）
【発明の開示】
【発明が解決しようとする課題】
【０００４】
ところで、上記従来技術にあっては、圧着スリーブによる結線構造が採用されていることから、図１３に示されるように、一緒に接続する絶縁線心１を各ＶＶＦケーブル２から引っ張り集める必要性がある。すなわち、複数の絶縁線心１を圧着スリーブ３で接続する箇所まで引っ張り集める必要性がある。
【０００５】
複数の絶縁線心１を引っ張り集める際には、絶縁線心１同士が重なり合い易いことから、結線作業がし難いという問題点を有している。また、作業時間が掛かってしまうという問題点も有している。
【０００６】
その他、圧着スリーブによる結線構造では、結線の自動化が図れないという問題点も有している。
【０００７】
本発明は、上述した事情に鑑みてなされたもので、作業性の向上を図ることが可能な屋内配線用ユニットケーブルの結線構造、屋内配線用ユニットケーブル、及び屋内配線用ユニットケーブルの結線装置を提供することを課題とする。
【課題を解決するための手段】
【０００８】
上記課題を解決するためになされた請求項１記載の本発明の屋内配線用ユニットケーブルの結線構造は、ＶＶＦケーブルの複数の絶縁線心の露出長さを、ジョイントボックスの奥側となるものが一番長く且つ手前になるにつれて短くなるような段付きの露出長さに形成し、このような前記ＶＶＦケーブルを複数備えて横一列に並べるとともに、露出させた前記絶縁線心の各段毎に複数の圧接刃を有する一又は複数のバスバーを圧接接続して結線部を形成することを特徴としている。
【０００９】
このような特徴を有する本発明によれば、端末から露出する絶縁線心の露出長さを段付きとなるように加工したＶＶＦケーブルを複数準備し、その準備した複数のＶＶＦケーブルを横一列に並べ、その後に、露出させた絶縁線心の各段毎にバスバーを圧接接続すると、屋内配線用ユニットケーブルの結線が完了する。
【００１０】
請求項２記載の本発明の屋内配線用ユニットケーブルの結線構造は、請求項１に記載の屋内配線用ユニットケーブルの結線構造において、前記結線部を形成するにあたり、前記絶縁線心を差し込むための複数の貫通孔、該貫通孔を介して差し込まれる前記絶縁線心の収容空間、及び、前記バスバーを差し込むための複数の開口部を有する絶縁ケースを用いることを特徴としている。
【００１１】
このような特徴を有する本発明によれば、結線部を形成するにあたり、絶縁ケースが用いられる。絶縁線心は、絶縁ケースに収容された後に、バスバーとの圧接接続がなされる。開口部には、バスバーが挿入され、絶縁ケース材料の厚さにより絶縁される。
【００１２】
請求項３記載の本発明の屋内配線用ユニットケーブルの結線構造は、請求項２に記載の屋内配線用ユニットケーブルの結線構造において、前記バスバーを前記開口部に差し込む際に用いる位置決め手段を前記バスバーと前記開口部とに設けることを特徴としている。
【００１３】
このような特徴を有する本発明によれば、バスバーが位置決め手段によって案内されながら開口部に差し込まれる。バスバーと絶縁線心との圧接接続は、位置決め手段によって所定位置で行われる。
【００１４】
上記課題を解決するためになされた請求項４記載の本発明の屋内配線用ユニットケーブルは、請求項１に記載の屋内配線用ユニットケーブルの結線構造に係る結線部をジョイントボックス内に収容するとともに、熱硬化性樹脂で固定することによりなることを特徴としている。
【００１５】
このような特徴を有する本発明によれば、結線部を保護するジョイントボックスを備えた屋内配線用ユニットケーブルが提供される。結線部は、熱硬化性樹脂でジョイントボックスに固定される。
【００１６】
上記課題を解決するためになされた請求項５記載の本発明の屋内配線用ユニットケーブルは、請求項２又は請求項３に記載の屋内配線用ユニットケーブルの結線構造を有するケーブル群にケーブルホルダーを取り付け、該ケーブルホルダーを取り付けた前記ケーブル群の端末の結線部をジョイントボックス内に収容するとともに、前記ケーブルホルダーを前記ジョイントボックスの係止部に係止させることによりなることを特徴としている。
【００１７】
このような特徴を有する本発明によれば、結線部を保護するジョイントボックスを備えた屋内配線用ユニットケーブルが提供される。結線部は、ケーブル群に取り付けたケーブルホルダーをジョイントボックスの係止部に係止させることにより脱落が防止される。
【００１８】
上記課題を解決するためになされた請求項６記載の本発明の屋内配線用ユニットケーブルの結線装置は、ＶＶＦケーブルの複数の絶縁線心の露出長さを、ジョイントボックスの奥側となるものが一番長く且つ手前になるにつれて短くなるような段付きの露出長さに形成し、このような前記ＶＶＦケーブルを複数備えて横一列に並べるケーブル収容部と、露出させた前記絶縁線心の各段毎に複数の圧接刃を有する一又は複数のバスバーをセットするバスバーセット構造部と、前記バスバーを押圧することにより前記絶縁線心との圧接接続を一括して行い結線部を形成するバスバー押圧構造部と、を備えることを特徴としている。
【００１９】
このような特徴を有する本発明によれば、屋内配線用ユニットケーブルの結線を行うために、ケーブル収容部とバスバーセット構造部とバスバー押圧構造部とを備える結線装置が用いられる。ケーブル収容部には、横一列に並んだ複数のＶＶＦケーブルが収容される。また、バスバーセット構造部には、各段毎の絶縁線心に対して圧接接続するためのバスバーがセットされる。バスバー押圧構造部を作用させると、バスバーセット構造部にセットしたバスバーが絶縁線心に対し一括して圧接接続される。
【００２０】
請求項７記載の本発明の屋内配線用ユニットケーブルの結線装置は、請求項６に記載の屋内配線用ユニットケーブルの結線装置において、前記ケーブル収容部は、前記ＶＶＦケーブル毎に前記絶縁線心を所望の間隔で整列させる線心整列ガイドを有することを特徴としている。
【００２１】
このような特徴を有する本発明によれば、ＶＶＦケーブルがケーブル収容部に収容されると、絶縁線心が線心整列ガイドによって所望の間隔を有する状態に整列する。
【００２２】
請求項８記載の本発明の屋内配線用ユニットケーブルの結線装置は、請求項６又は請求項７に記載の屋内配線用ユニットケーブルの結線装置において、前記バスバーセット構造部は、前記ケーブル収容部を横切るようにスライドする構造であるとともに、前記各段毎の前記バスバーに対する保持部と受け部とを有することを特徴としている。
【００２３】
このような特徴を有する本発明によれば、バスバーセット構造部がケーブル収容部を横切るようにスライドする。バスバーは、バスバーセット構造部の保持部により保持される。また、バスバーは、バスバー押圧構造部からの作用を受けると、保持部で保持されつつ受け部で受け止められる。バスバーセット構造部の受け部では、絶縁線心も受け止められる。
【００２４】
請求項９記載の本発明の屋内配線用ユニットケーブルの結線装置は、請求項８に記載の屋内配線用ユニットケーブルの結線装置において、前記バスバーセット構造部は、前記絶縁線心の前記各段毎の間隔を所望の間隔に拡大する線心間隔拡大ガイドを更に有することを特徴としている。
【００２５】
このような特徴を有する本発明によれば、各段の絶縁線心の間に線心間隔拡大ガイドが入り込む。絶縁線心の各段毎の間隔は、線心間隔拡大ガイドにより所望の間隔に拡大する。
【発明の効果】
【００２６】
請求項１に記載された本発明によれば、絶縁線心の結線作業を容易にすることができるという効果を奏する。また、結線作業を容易にすることにより、生産性を向上させることができるという効果を奏する。さらに、ＶＶＦケーブルを整列させるだけで一度に多くの結線をすることが可能となるので、更なる生産性の向上を図ることができるという効果を奏する。
【００２７】
請求項２に記載された本発明によれば、バスバー同士の絶縁性を高めることができるという効果を奏する。また、バスバーの圧接接続を容易にすることができるという効果を奏する。
【００２８】
請求項３に記載された本発明によれば、正確な位置で圧接接続をすることができるという効果を奏する。
【００２９】
請求項４に記載された本発明によれば、固定とバスバー同士の絶縁とを一括して行うことができるという効果を奏する。
【００３０】
請求項５に記載された本発明によれば、軽量化を図ることができるという効果を奏する。また、生産性を向上させることができるという効果を奏する。
【００３１】
請求項６に記載された本発明によれば、結線部を形成するバスバーと絶縁線心との圧接接続を一括して行うことができるという効果を奏する。
【００３２】
請求項７ないし請求項９に記載された本発明によれば、バスバーと絶縁線心との圧接接続を精度よく行うことができるという効果を奏する。
【発明を実施するための最良の形態】
【００３３】
以下、図面を参照しながら説明する。
図１は本発明の屋内配線用ユニットケーブルの結線構造及び屋内配線用ユニットケーブルの一実施の形態を示す図であり、（ａ）は屋内配線用ユニットケーブルの斜視図、（ｂ）は結線部の斜視図である。また、図２は図１の屋内配線用ユニットケーブルの断面図、図３は図１の結線部の平面図、図４は図１の結線部の正面図、図５は図１の結線部の側面図である。
【００３４】
図１において、引用符号１１は本発明の屋内配線用ユニットケーブルを示している。また、引用符号１２は端末に本発明の結線構造を有するケーブル群を示している。屋内配線用ユニットケーブル１１は、ケーブル群１２の端末にジョイントボックス１３を備えて構成されている。以下、図１ないし図５を参照しながら各構成部材について説明する。
【００３５】
上記ケーブル群１２は、複数のＶＶＦケーブル１４を横一列に並べて構成されている。ＶＶＦケーブル１４は、本形態において、絶縁線心１５を三つ有して構成されるものと、絶縁線心１５を二つ有して構成されるものの二種類が用いられている（一例であるものとする。本形態では、電源線用アース付きＶＶＦ３心×２ｍｍ、３路スイッチ用ＶＶＦ３心×１．６ｍｍ×２本、消灯用ＶＶＦ２心×１．６ｍｍ、コンセント用アース付きＶＶＦ３心×１．６ｍｍ×５本が用いられている）。各ＶＶＦケーブル１４の端末は、所定の長さでシース１６が皮剥されており、絶縁線心１５が露出するように形成されている。各ＶＶＦケーブル１４の三つ又は二つの絶縁線心１５は、その露出長さが異なっており、段付き状態に形成されている。
【００３６】
もう少し詳しく説明すると、三つ又は二つの絶縁線心１５のうち、図中手前側、すなわち屋内配線用ユニットケーブル１１の正面側（後述するジョイントボックス蓋体側）となる絶縁線心１５は、その露出長さが一番短くなるように形成されている。また、ケーブル群１２の背面側（後述するジョイントボックス本体の奥側）となる絶縁線心１５は、その露出長さが一番長くなるように形成されている。真ん中に配置される絶縁線心１５は、上記の長さの中間となる露出長さに形成されている。露出長さに関する形成方法としては、例えば、シース１６を治具にて皮剥した後に、絶縁線心１５を段カットすることができる専用治具を用いればよい。
【００３７】
ここで、屋内配線用ユニットケーブル１１の正面側となる絶縁線心１５の列を第一線心露出列１７、真ん中に配置される絶縁線心１５の列を第二線心露出列１８、屋内配線用ユニットケーブル１１の背面側となる絶縁線心１５の列を第三線心露出列１９と定義する。
【００３８】
第一線心露出列１７には、長いバスバー２０と短いバスバー２１とが接続（一例であるものとする）されている。また、第二線心露出列１８及び第三線心露出列１９にも各々、長いバスバー２０と短いバスバー２１とが接続（一例であるものとする）されている。長いバスバー２０と短いバスバー２１は、共に導電性を有する金属材料から形成されている。長いバスバー２０は、バスバー本体２２と、そのバスバー本体２２の一側に連成される複数の圧接刃２３とを有している。また、短いバスバー２１も、バスバー本体２４と、そのバスバー本体２４の一側に連成される複数の圧接刃２３とを有している。
【００３９】
長いバスバー２０のバスバー本体２２は、第一線心露出列１７（第二線心露出列１８、第三線心露出列１９）の長さに合わせた帯板形状に形成されている。短いバスバー２１のバスバー本体２４は、長いバスバー２０のバスバー本体２２よりも短く、本形態においては、隣り合う二本の絶縁線心１５、１５に跨るような長さの帯板形状に形成されている。短いバスバー２１のバスバー本体２４の一方の端部には、位置決め手段としての凸部２５が形成されている。その凸部２５については、本発明の他の一実施の形態において説明する。
【００４０】
長いバスバー２０及び短いバスバー２１は、ケーブル群１２の正面側から圧接接続が行えるようになっている。従って、第一線心露出列１７に対応する長いバスバー２０及び短いバスバー２１の圧接刃２３は、その長さが短く、言い換えれば圧接を行う部分までの長さが短く形成されている。これに対して、第三線心露出列１９に対応する長いバスバー２０及び短いバスバー２１の圧接刃２３は、その長さが長く、言い換えれば圧接を行う部分までの長さが長く形成されている。第二線心露出列１８に対応する長いバスバー２０及び短いバスバー２１の圧接刃２３は、上記長さの中間となる長さに形成されている。尚、圧接刃２３の長さを統一すれば標準化を図ることも可能である。
【００４１】
圧接刃２３の配置は、任意であるものとする。一例を挙げると、第三線心露出列１９に対応する長いバスバー２０の圧接刃２３は、図３に示されるように、左から１番目の絶縁線心１５と、左から５番目〜右端までの絶縁線心１５とを圧接接続することができるように配置形成されている。第三線心露出列１９に対応する長いバスバー２０の圧接刃２３は６つ形成されている。
【００４２】
上記構成において、第一線心露出列１７、第二線心露出列１８、及び第三線心露出列１９に各々、接続に必要なバスバー、すなわち本形態においては長いバスバー２０と短いバスバー２１とを圧接接続（図中の圧接接続位置は一例であるものとする。また、バスバーの数も一例であるものとする）すると、ケーブル群１２の端末に結線部２６が図示のように形成される。本発明の結線構造は、バスバーの圧接により構成されている。また、本発明の結線構造は、ＶＶＦケーブル１４を整列させて一度に多くの結線をすることができるように構成されている。
【００４３】
上記ジョイントボックス１３は、ケーブル群１２の端末の結線部２６を保護するための合成樹脂製の部材であって、特に符号を付さないが、ジョイントボックス本体とそのジョイントボックス本体に対して一体又は別体状態で係合するジョイントボックス蓋体とを備えて構成されている。ジョイントボックス１３は、結線部２６の取り付け相手であって、結線部２６を内部に収納することができる大きさに形成されている。
【００４４】
上記構成において、ジョイントボックス１３の内部にケーブル群１２の端末の結線部２６を収納し、そして、ジョイントボックス１３の内部に熱硬化性樹脂２７を充填してその熱硬化性樹脂２７を硬化させると、結線部２６及びその周辺がジョイントボックス１３に固定され、本発明の屋内配線用ユニットケーブル１１の製造が完了する。
【００４５】
以上、図１ないし図５を参照しながら説明してきたように、本発明の結線構造は、バスバーの圧接により構成されることから、従来よりも絶縁線心の結線作業を容易にすることができる。また、結線作業を容易にすることにより、生産性を向上させることができる。さらに、ＶＶＦケーブルを整列させるだけで一度に多くの結線をすることができ、更なる生産性の向上、すなわち自動化を図ることができる。一方、本発明の屋内配線用ユニットケーブル１１は、ケーブル群１２の端末の結線部２６及びその周辺の固定と、バスバー（長いバスバー２０、短いバスバー２１）同士の絶縁とを一括して行うことから、生産性の向上を図ることができる。
【００４６】
次に、図６ないし図１０を参照しながら上記結線構造を形成するにあたり好適な本発明の結線装置の構造及び作用について説明する。図６は本発明の屋内配線用ユニットケーブルの結線装置の一実施の形態を示す斜視図、図７はバスバーセット構造部をスライドさせた状態の斜視図、図８はバスバー押圧構造部を作用させた状態の斜視図、図９はケーブル収容部とバスバーセット構造部の拡大斜視図、図１０はバスバーセット構造部の拡大斜視図である。
【００４７】
図６ないし図８において、引用符号６１は上述のケーブル群１２の端末の結線部２６を形成するための本発明の結線装置を示している。本発明の結線装置６１は、ケーブル収容部６２を有する装置本体６３と、装置本体６３にスライド自在に取り付けられるバスバーセット構造部６４と、装置本体６３に回動自在に取り付けられるバスバー押圧構造部６５とを備えて構成されている。尚、ここで説明する本発明の結線装置６１は、手動で結線部２６（図４及び図５参照）を形成するように構成されているが、本形態の構造を応用して自動化することを妨げないものとする。以下、図６ないし図１０を参照しながら各構成部材について説明する。
【００４８】
装置本体６３は、略直方体形状に形成されている。装置本体６３には、その表面６６を凹ませるような状態でケーブル収容部６２とスライダー収容部６７とが形成されている。ケーブル収容部６２は、ケーブル群１２の端末を収容することができるように形成されている。スライダー収容部６７は、バスバーセット構造部６４がケーブル収容部６２を横切ることができるように形成されている。具体的には、ケーブル収容部６２の一側面にスライダー収容部６７の一端が連続するように配置形成されている。
【００４９】
ケーブル収容部６２には、線心整列ガイド６８が形成されている。その線心整列ガイド６８は、バスバーセット構造部６４のスライド位置に合わせて配置形成されている。線心整列ガイド６８は、ケーブル群１２を構成するＶＶＦケーブル１４毎に絶縁線心１５を所望の間隔で整列させることができるように形成されている。具体的には、図示のような複数のブロック状の部材を上下左右に並べて形成されている。線心整列ガイド６８は、絶縁線心１５の差し込みと、バスバーセット構造部６４の後述するスライド部分とに配慮した格好の形状に形成されている。
【００５０】
バスバーセット構造部６４は、ケーブル群１２の端末における第一線心露出列１７、第二線心露出列１８、及び第三線心露出列１９の各絶縁線心１５に対して長いバスバー２０と短いバスバー２１とをそれぞれセットすることができるように構成されている。また、バスバーセット構造部６４は、所謂スライダーであって、スライダー収容部６７に収容され、必要に応じてケーブル収容部６２を横切ってスライドすることができるように構成されている。このようなバスバーセット構造部６４は、基部６９と、線心押さえ部７０と、一対の線心間隔拡大ガイド７１と、三つのバスバーガイド７２とを有している。
【００５１】
基部６９は、スライダー収容部６７の幅及び深さに合わせて形成されたブロック形状の部分であって、その上面には、スライドの際に摘む取っ手７３が形成されている。基部６９のケーブル収容部６２側の側面には、その側面から線心押さえ部７０と線心間隔拡大ガイド７１とバスバーガイド７２とがそれぞれ突出するように形成されている。線心押さえ部７０と線心間隔拡大ガイド７１とバスバーガイド７２は、ケーブル収容部６２の線心整列ガイド６８に干渉しないように配置形成されている。
【００５２】
線心押さえ部７０は、絶縁線心１５を露出させてなる第一線心露出列１７を押さえるための部分であって、断面が長方形となる柱状に形成されている。一対の線心間隔拡大ガイド７１は、第一線心露出列１７、第二線心露出列１８、及び第三線心露出列１９の間隔を所望の間隔に拡大するための部分であって、各線心露出列１７〜１９の基端側、すなわち露出した絶縁線心１５の基端側に位置するように配置されている。線心間隔拡大ガイド７１には、第一線心露出列１７、第三線心露出列１９を案内するためのテーパ面（符号省略）が形成されている。三つのバスバーガイド７２は、第一線心露出列１７、第二線心露出列１８、及び第三線心露出列１９の各先端側に長いバスバー２０と短いバスバー２１とをそれぞれセットするための部分であって、保持部７４と受け部７５とを有している。保持部７４は、長いバスバー２０を差し込んで保持する部分と、短いバスバー２１を差し込んで保持する部分とを有している。
【００５３】
長いバスバー２０と短いバスバー２１は、図示のような並んだ状態で保持部７４に保持されるようになっている。また、長いバスバー２０と短いバスバー２１は、バスバー押圧構造部６５からの作用を受けると、保持部７４で保持されつつ受け部７５で受け止められるようになっている。受け部７５では、絶縁線心１５も受け止められるようになっている。
【００５４】
バスバー押圧構造部６５は、バスバーセット構造部６４にセットされた長いバスバー２０と短いバスバー２１とを押圧して結線部２６（図４及び図５参照）を形成することができるように構成されている。このようなバスバー押圧構造部６５は、ケーブル収容部６２に連続するように取り付けられている。バスバー押圧構造部６５は、一対の取り付け固定部７６と、回転軸部７７と、一対の支持アーム７８と、バスバー押圧部７９とを有している。
【００５５】
一対の取り付け固定部７６は、ケーブル収容部６２の側面に密着するように固定されている。また、一対の取り付け固定部７６は、それぞれＬ字状に形成されている。一対の取り付け固定部７６において、装置本体６３の表面６６から突出する部分には、回転軸部７７が取り付けられている。その回転軸部７７の端部には、支持アーム７８の一端が刺し通されるような状態で取り付けられている。一対の支持アーム７８は、所定の間隔を開けて回動自在に取り付けられている。
【００５６】
一対の支持アーム７８の各他端には、バスバー押圧部７９が固定されている。バスバー押圧部７９は、支持アーム７８の他端によって挟み込まれるような状態で固定されている。バスバー押圧部７９には、長いバスバー２０と短いバスバー２１とを押圧するための段部８０が形成されている。また、バスバー押圧部７９には、バスバー押圧構造部６５を回動操作するための取っ手８１が形成されている。
【００５７】
尚、バスバー押圧構造部６５は、上記のような回動操作をして長いバスバー２０と短いバスバー２１とを押圧する構造の他に、空気圧、油圧、機械的手段を用いた他の押圧構造（加圧構造）を採用してもよいものとする。
【００５８】
上記構成において、図６に示されるような初期状態から、先ず、バスバーセット構造部６４をケーブル収容部６２に向けてスライドさせ、線心整列ガイド６８とバスバーセット構造部６４とを組み合わせて図９に示されるような略格子状の心線差し込み部分８２を形成する。次に、線心差し込み部分８２に向けてケーブル群１２の端末を近づけ、心線差し込み部分８２の各差し込みスペース８３に、対応する絶縁線心１５を差し込みながら、ケーブル群１２の端末を図７に示されるようにケーブル収容部６２の所定位置に収容する。
【００５９】
続いて、バスバーセット構造部６４の三つのバスバーガイド７２に長いバスバー２０と短いバスバー２１とをそれぞれセットする。続いて、図８に示されるようにバスバー押圧構造部６５を下方に回動操作し、バスバー押圧部７９の段部８０を長いバスバー２０と短いバスバー２１とに押し付けて押圧する。この時、第一線心露出列１７、第二線心露出列１８、及び第三線心露出列１９に対してセットされた各長いバスバー２０と短いバスバー２１は、押圧力を受けて絶縁線心１５に圧接接続される。これにより、一括して結線部２６が形成される。
【００６０】
最後に、バスバー押圧構造部６５を上方に回動操作し、バスバーセット構造部６４をスライダー収容部６７に収容するようにスライドさせ、そして、ケーブル群１２の端末を上方に移動させて線心整列ガイド６８から引き抜くと、一連の作業が完了する。
【００６１】
以上、図６ないし図１０を参照しながら説明してきたように、本発明の結線装置６１は、結線部２６を形成するバスバー（ここでは長いバスバー２０と短いバスバー２１）と絶縁線心１５との圧接接続を一括して行うことができるように構成されている。従って、本発明の結線装置６１は、作業性の向上を図ることができる装置である。
【００６２】
続いて、図１１及び図１２を参照しながら本発明の屋内配線用ユニットケーブルの結線構造及び屋内配線用ユニットケーブルの他の一実施の形態を説明する。尚、上述の形態と基本的に同じ構成部材については同一符号を付して説明を省略する。図１１は他の一実施の形態を示す分解斜視図である。また、図１２は図１１の屋内配線用ユニットケーブルの図であり、（ａ）はジョイントボックス蓋体を閉じた状態の斜視図、（ｂ）はジョイントボックス蓋体を開いた状態の斜視図である。
【００６３】
図１１及び図１２において、引用符号３１は本発明の屋内配線用ユニットケーブルを示している。本発明の屋内配線用ユニットケーブル３１は、ジョイントボックス３２と上述のケーブル群１２とを備えて構成されている。
【００６４】
他の一実施の形態のケーブル群１２には、ケーブルホルダー３３とバンド部材３４、３４とが設けられている。また、このようなケーブル群１２には、その結線部３５を形成するために、絶縁ケース３６が用いられている。結線部３５は、上述の結線部２６（図１（ｂ）参照）の構成に対して絶縁ケース３６を更に追加してなっている。
【００６５】
ケーブルホルダー３３は、合成樹脂製の部材であって、櫛歯状となる複数の突起部３７と、その複数の突起部３７の両側に位置する係止用突起部３８、３８と、これらを支える帯板状のベース部３９とを有している。複数の突起部３７は、ケーブル群１２の横一列に並んだ各ＶＶＦケーブル１４の間に差し込まれるように配置形成されている。係止用突起部３８、３８は、ジョイントボックス３２の後述する係止部５０、５０に係止されるように形成されている。具体的には、ケーブル群１２の横方向に突出するような厚肉の突起として形成されており、ジョイントボックス３２の後述する係止部５０、５０に引っ掛かって係止されると、ケーブル群１２自体がジョイントボックス３２に固定されるような機能を有している。
【００６６】
バンド部材３４、３４は、ケーブルホルダー３３の位置ズレを生じさせないようにするするための部材であって、ケーブルホルダー３３の上下に取り付けられている。バンド部材３４、３４は、本形態において、合成樹脂材を用いて形成されている。
【００６７】
各ＶＶＦケーブル１４の間に突起部３７を差し込んだ状態でケーブルホルダー３３の上下をバンド部材３４、３４で締め付けると、バンド部材３４、３４とケーブルホルダー３３との間に位置する各ＶＶＦケーブル１４に強制的な曲げが生じ、その結果、ケーブルホルダー３３の位置ズレが防止される。ケーブルホルダー３３がジョイントボックス３２に係止されることにより、ケーブル群１２がジョイントボックス３２に固定される。
【００６８】
結線部３５は、上述の結線部２６（図１（ｂ）参照）と同様、ケーブル群１２の第一線心露出列１７、第二線心露出列１８、及び第三線心露出列１９に各々、接続に必要なバスバー（長いバスバー２０と短いバスバー２１）を圧接接続する構成であるが、バスバーによる圧接接続のために絶縁ケース３６を用いる点が異なっている。
【００６９】
絶縁ケース３６は、絶縁性を有する合成樹脂製の部材であって、絶縁線心１５を差し込むための複数の貫通孔４０と、その貫通孔４０を介して差し込まれる絶縁線心１５のための収容空間４１と、バスバー（長いバスバー２０と短いバスバー２１）を差し込むための複数の開口部４２とを有している。
【００７０】
複数の貫通孔４０は、絶縁ケース３６の底壁に形成されている。また、複数の貫通孔４０は、ケーブル群１２の第一線心露出列１７、第二線心露出列１８、及び第三線心露出列１９の各絶縁線心１５に対応する位置に形成されている。
【００７１】
複数の開口部４２は、絶縁ケース３６の前壁を開口するように形成されている（本形態においては、バスバーの数に合わせて六つ開口形成されている）。また、複数の開口部４２は、ケーブル群１２の第一線心露出列１７、第二線心露出列１８、及び第三線心露出列１９に対応する位置に形成されている。このような複数の開口部４２のうち、短いバスバー２１に対応する開口部４２には、短いバスバー２１の凸部２５を案内する凹部４３が複数形成されている。凹部４３は、凸部２５と共に位置決め手段を構成しており、短いバスバー２１を正確な位置で圧接接続させるための機能を有している。複数の開口部４２は、収容空間４１に連通するように形成されている。
【００７２】
上記構成において、ケーブル群１２の各絶縁線心１５を絶縁ケース３６の対応する貫通孔４０に差し込んで収容空間４１に収容するとともに、対応する開口部４２を介して第一線心露出列１７、第二線心露出列１８、及び第三線心露出列１９に各々、長いバスバー２０と短いバスバー２１とを圧接接続（図中の圧接接続位置は一例であるものとする）すると、ケーブル群１２の端末に結線部３５が形成される。
【００７３】
本発明の他の一実施の形態の結線構造は、絶縁ケース３６を用いてバスバーを圧接するように構成されている。また、本発明の他の一実施の形態の結線構造は、ＶＶＦケーブル１４を整列させて一度に多くの結線をすることができるように構成されている。
【００７４】
さらに、本発明の他の一実施の形態の結線構造は、例えば一本のＶＶＦケーブル１４を引っ張った場合でも、ケーブルホルダー３３の全体に力が分散されるように構成されている（屋内配線時にＶＶＦケーブル１４が大きな力で引っ張られても圧接接続部分に負荷がかからず、外れが生じたりしない）。
【００７５】
ジョイントボックス３２は、ケーブル群１２の端末の結線部３５を保護するための合成樹脂製の部材であって、ジョイントボックス本体４４と、ジョイントボックス蓋体４５とを備えて構成されている。ジョイントボックス３２は、結線部３５を内部に収納することができる大きさに形成されている。
【００７６】
ジョイントボックス本体４４は、ケーブル群１２の端末の結線部３５が差し込まれる方向の面と、ケーブル群１２が引き出される方向の面とが開放された略箱状の部材であって、基板４６と取り付け部４７と側壁４８、４８とを有している。
【００７７】
基板４６は、平坦な表裏面を有する平面視矩形の板状の部分であって、その基板４６の上縁には、取り付け部４７が連成されている。取り付け部４７には、壁や柱等に取り付けを行うための貫通孔４９が形成されている。
【００７８】
側壁４８、４８は、基板４６の両側縁から突出するようにその基板４６に形成されている。また、側壁４８、４８は、適宜高さを有して基板４６に一体に形成されている。側壁４８、４８の下方には、ケーブルホルダー３３の係止用突起部３８、３８を係止するための係止部５０、５０が形成されている。係止部５０、５０は、本形態において凹状に形成されている（ケーブルホルダー３３が移動しないように係止できればよいものとする）。側壁４８、４８には、ジョイントボックス蓋体４５を係合させるためのロック手段５１、５１が複数形成されている。
【００７９】
ジョイントボックス蓋体４５は、略板状の部材として形成されている。このようなジョイントボックス蓋体４５には、ジョイントボックス本体４４のロック手段５１、５１に係合するロック部５２、５２が形成されている。また、ジョイントボックス蓋体４５には、弾性を有する略ブリッジ状のケーブル押さえ５３が形成されている。ジョイントボックス蓋体４５は、ジョイントボックス本体４４に対して着脱自在に係合するように形成されている（本形態ではヒンジ５４、５４を介して一体化したが、別体化であってもよいものとする。尚、封印（うめごろし）構造を採用してもよいものとする）。
【００８０】
上記構成において、ジョイントボックス本体４４の内部にケーブル群１２の端末の結線部３５を収納し、ケーブルホルダー３３の係止用突起部３８、３８を係止部５０、５０に係止させ、そしてさらに、ジョイントボックス蓋体４５をジョイントボックス本体４４に係合させると、ケーブル群１２がジョイントボックス３２に固定され、本発明の他の一実施の形態の屋内配線用ユニットケーブル３１の製造が完了する。
【００８１】
以上、図１１及び図１２を参照しながら説明してきたように、本発明の他の一実施の形態の結線構造もバスバーの圧接により構成されることから、従来よりも絶縁線心の結線作業を容易にすることができる。また、結線作業を容易にすることにより、生産性を向上させることができる。さらに、ＶＶＦケーブルを整列させるだけで一度に多くの結線をすることができ、更なる生産性の向上、すなわち自動化を図ることができる。一方、本発明の他の一実施の形態の屋内配線用ユニットケーブル３１は、熱硬化性樹脂を用いない係止構造によって固定をすることから、図１の屋内配線用ユニットケーブル１１よりも軽量化を図ることができる。また、樹脂を硬化させる時間が不要となり生産性を向上させることができる。
【００８２】
その他、本発明は本発明の主旨を変えない範囲で種々変更実施可能なことは勿論である。
【図面の簡単な説明】
【００８３】
【図１】本発明の屋内配線用ユニットケーブルの結線構造及び屋内配線用ユニットケーブルの一実施の形態を示す図であり、（ａ）は屋内配線用ユニットケーブルの斜視図、（ｂ）は結線部の斜視図である。
【図２】図１の屋内配線用ユニットケーブルの断面図である。
【図３】図１の結線部の平面図である。
【図４】図１の結線部の正面図である。
【図５】図１の結線部の側面図である。
【図６】本発明の屋内配線用ユニットケーブルの結線装置の一実施の形態を示す斜視図である。
【図７】バスバーセット構造部をスライドさせた状態の斜視図である。
【図８】バスバー押圧構造部を作用させた状態の斜視図である。
【図９】ケーブル収容部とバスバーセット構造部の拡大斜視図である。
【図１０】バスバーセット構造部の拡大斜視図である。
【図１１】本発明の屋内配線用ユニットケーブルの結線構造及び屋内配線用ユニットケーブルの他の一実施の形態を示す分解斜視図である。
【図１２】図６の屋内配線用ユニットケーブルの図であり、（ａ）はジョイントボックス蓋体を閉じた状態の斜視図、（ｂ）はジョイントボックス蓋体を開いた状態の斜視図である。
【図１３】従来例の屋内配線用ユニットケーブルの断面図である。
【符号の説明】
【００８４】
１１  屋内配線用ユニットケーブル
１２  ケーブル群
１３  ジョイントボックス
１４  ＶＶＦケーブル
１５  絶縁線心
１６  シース
１７  第一線心露出列
１８  第二線心露出列
１９  第三線心露出列
２０  長いバスバー（バスバー）
２１  短いバスバー（バスバー）
２２  バスバー本体
２３  圧接刃
２４  バスバー本体
２５  凸部（位置決め手段）
２６  結線部
２７  熱硬化性樹脂
３１  屋内配線用ユニットケーブル
３２  ジョイントボックス
３３  ケーブルホルダー
３４  バンド部材
３５  結線部
３６  絶縁ケース
３７  突起部
３８  係止用突起部
３９  ベース部
４０  貫通孔
４１  収容空間
４２  開口部
４３  凹部（位置決め手段）
４４  ジョイントボックス本体
４５  ジョイントボックス蓋体
４６  基板
４７  取り付け部
４８  側壁
４９  貫通孔
５０  係止部
５１  ロック手段
５２  ロック部
５３  ケーブル押さえ
５４  ヒンジ
６１  結線装置
６２  ケーブル収容部
６３  装置本体
６４  バスバーセット構造部
６５  バスバー押圧構造部
６６  表面
６７  スライダー収容部
６８  線心整列ガイド
６９  基部
７０  線心押さえ部
７１  線心間隔拡大ガイド
７２  バスバーガイド
７３  取っ手
７４  保持部
７５  受け部
７６  取り付け固定部
７７  回転軸部
７８  支持アーム
７９  バスバー押圧部
８０  段部
８１  取っ手
８２  線心差し込み部分
８３  差し込みスペース
【図１】
2006032310.tif 000003
【図２】
2006032310.tif 000004
【図３】
2006032310.tif 000005
【図４】
2006032310.tif 000006
【図５】
2006032310.tif 000007
【図６】
2006032310.tif 000008
【図７】
2006032310.tif 000009
【図８】
2006032310.tif 000010
【図９】
2006032310.tif 000011
【図１０】
2006032310.tif 000012
【図１１】
2006032310.tif 000013
【図１２】
2006032310.tif 000014
【図１３】
2006032310.tif 000015